(57)【要約】      （修正有）【課題】液体タンク側壁に付設される目視形液面計において、少ない部品点数と簡単な構造で、方向を限定されず液面を確認することができ、さらにエアーブリーザおよび注液口機能を兼ね備える液面計を提供する。【解決手段】液体タンク２の天井の開口部４に上端部のフランジ６が掛止されて液体タンク２内に垂設された、仕切り５により上下二分された液体が自由に出入り可能な環状体７と、前記仕切り５の下部に上下動自在に内設されるとともに前記仕切り５の上部に縦貫する小径の円筒体１０を設けた第１ピストン１１と、前記仕切り５の上部に上下動自在に内設されるとともに前記小径の円筒体１０に嵌挿された第２ピストン１２とからなり、浮力により第１ピストン１１が前記仕切り５に当接するまで浮上し、次に第２ピストン１２が浮上して液面を表示する。【選択図】図１
0003162714.tif 000002
【実用新案登録請求の範囲】
【請求項１】
液体タンク内の液面を表示するための液面計であって、液体タンク天井の開口部に上端部のフランジが掛止されて液体タンク内に垂設された、仕切りにより上下に二分された液体が自由に出入可能な環状体と、前記環状体の仕切りより下部に上下動自在に内設されるとともに前記仕切りの上部に縦貫する小径の円筒部を設けた第１ピストンと、前記環状体の上部に上下動自在に内設されるとともに前記小径の円筒部に嵌挿された第２ピストンとからなり、浮力によりピストンが上下動することを特徴とする液面計。
【請求項２】
前記第２ピストンの内筒と外筒を連通する穴を穿孔したことを特徴とする請求項１記載の液面計。
【請求項３】
少なくとも原動機と液体タンクを有する液圧装置において、請求項１または２に記載の液面計を前記液体タンクに備えたことを特徴とする液圧装置。
【考案の詳細な説明】
【技術分野】
【０００１】
本考案は液体タンクに付設されるフロート式液面計に関する。
【背景技術】
【０００２】
従来、液圧装置等の液体タンク内の液量を外部から確認する方法として、液面検出通路を設けた透明な液面検出体を鉛直方向に延ばして両端部をそれぞれ液体タンク内部と前記液面検出通路に連通する通路を設けたボルトで液体タンクの側壁に固定したものが提示されている（特許文献１参照）。
【０００３】
また、液面検出通路を設けた透明な液面検出体を鉛直方向に対し傾斜させて延長し、両端部をそれぞれ液体タンク内部と前記液面検出通路と連通するボルトで液体タンク側壁に固定することで上面、正面、側面の各方向から液面確認のできるものが提示されている（特許文献２参照）。
【０００４】
また、歪ゲージを配置したベース材をフレームに取付け、分割可能なフロートの上部をベース材に連結し、液体タンク内の液体レベルに応じたフロートの浮力の変化を歪ゲージで計測し電気的に液面確認する方式が提示されている（特許文献３参照）。
【０００５】
また、図８に示す液圧装置３０は、基盤３１に原動機３２と相対して図示されていない継ぎ手を介して液圧ポンプ３３が取り付けられ、液圧ポンプ３３を包含する形で液体タンク３４が基盤に取り付けられている。液体タンク３４の後部側面には日の丸形液面計３５が設けられ、注液口兼エアーブリーザ３６が液体タンク３４の上面から鉛直に付設されたものである。
【先行技術文献】
【特許文献】
【０００６】
【特許文献１】特開２００８−２６１２５号公報
【特許文献２】特開２００３−３４１７９９号公報
【特許文献３】特開２００５−３５１８２６号公報
【考案の概要】
【考案が解決しようとする課題】
【０００７】
従来の液体タンク側壁に付設される目視形液面計では確認方向が限定され、フロートの動きを電気変換して表示する場合は複雑な構造でコスト高であり、フロートの飛び出し量で表示する場合は液体タンク上部に大きなスペースが必要であり、さらに注液口およびエアーブリーザを別途必要とするなどの問題がある。
【課題を解決するための手段】
【０００８】
本考案は、上記課題を解決するために、液体タンク天井の開口部に上端部のフランジが掛止されて液体タンク内に垂設された、仕切りにより上下に二分された液体が自由に出入可能な環状体と、前記環状体の仕切りより下部に上下動自在に内設されるとともに前記仕切りの上部に縦貫する小径の円筒部を設けた第１ピストンと、前記環状体の上部に上下動自在に内設されるとともに前記小径の円筒部に嵌挿された第２ピストンとからなり、浮力によりピストンが上下動する構成としたものである。
【０００９】
また、前記第２ピストンの内筒と外筒を連通する穴を穿孔したものである。
【００１０】
上記の構成により、液面上昇に伴い前記第１ピストンが前記仕切りに当接するまで浮上し、次に第２ピストンが浮上して前記フランジ端面からの両ピストンの飛び出しで全方向から液面を目視することができる。
【００１１】
また、前記第２ピストンの連通穴により液体タンク内外の通気が可能で、エアーブリーザの機能を兼ね備えている。
【００１２】
さらに、前記第２ピストンを前記環状体から抜き取ることで注液口の機能を兼ね備えることができる。
【考案の効果】
【００１３】
少ない部品点数と簡単な構造で、方向を限定されず液面を確認することができ、さらにエアーブリーザおよび注液口機能を兼ね備える効果がある。
【図面の簡単な説明】
【００１４】
【図１】本考案の液面計組立縦断面図である。
【図２】本考案の液面計動作説明図である。
【図３】本考案の実施例２の組立縦断面図である。
【図４】本考案の液面計のエアーブリーザ説明図である。
【図５】本考案の液面計の注液口説明図である。
【図６】本考案の実施例３の一部断面外形図である。
【図７】本考案の変形例斜視図である。
【図８】従来の液圧装置の一部縦断面図を含む正面外形図である。
【考案を実施するための形態】
【００１５】
液圧装置の液体タンクに付設し、液体タンク内の液量を外部より確認する液面計であって、液体の比重より小さい比重の２個のピストンの液量に応じた連動により最低液量、中間液量、最高液量を表示するとともに注液口およびエアーブリーザ機能を兼ね備えた液面計であるが、以下図面に示す実施例に基づいて説明する。
【実施例１】
【００１６】
本考案の実施例１を図１に示す。図１は本考案の液面計を液体タンクに付設した組立縦断面図である。
【００１７】
本考案の液面計１は、図１に示すとおり液体タンク２の天板３に削成された開口部４に、仕切り５により上部室Ａと下部室Ｂに二分され且つ上端のフランジ６が掛止されて液体タンク２内に垂設された網状部材または多数の貫通穴を穿孔した部材で成形され液体が自由に出入可能な環状体７と、下部室Ｂに仕切り５とカバー８との間で上下動自在に内設された円筒体９の上端に仕切り５を縦貫してフランジ６の端面まで延びる小径の円筒体１０を設けた第１ピストン１１と、円筒体１０に上下動自在に挿入され且つ上部室Ａに内設された第２ピストン１２とから構成されている。
【００１８】
上記のとおり構成した液面計の動作を図２に基づいて説明する。
【００１９】
図２（ａ）は、液面Ｃが最低レベルであること示す。第１ピストン１１および第２ピストン１２はいずれも自重でそれぞれカバー８と仕切り５上に沈座しており、第１ピストン１１と第２ピストン１２の上端面はフランジ６と面一である。
【００２０】
図２（ｂ）は、液面Ｄが中間レベルの初期であることを示す。第１ピストン１１は液面の上昇にともない浮力で仕切り５に当接するまで上昇し、上部端面はフランジ６より飛び出す。第２ピストン１２は自重で仕切りに沈座したままである。
【００２１】
図２（ｃ）は、液面Ｅが中間レベルの終期であることを示す。すなわち第２ピストン１２が浮力で浮上する直前の位置を示す。液面Ｅまでは第１ピストン１１は浮力で仕切り５に当接した状態を保持し、上端面はフランジ６から飛び出した状態を保持している。したがって液面が液面Ｄから液面Ｅまでの中間レベルにあるときは第１ピストン１１の上端面のみフランジ６から飛び出す。
【００２２】
図２（ｄ）は、液面Ｆが最高レベルであることを示す。液面がさらに上昇すると第２ピストン１２は浮力で上昇し液面Ｆの位置で上端面は第１ピストン１１の上端面と面一になる。
【００２３】
以上詳述のとおり、液体タンク２内の液体の最低液面、中間液面、最高液面を第１ピストン１１と第２ピストン１２の上端面のフランジ６からの飛び出し方で認識することが可能である。
【実施例２】
【００２４】
本考案の実施例２を図３に示す。実施例２の液面計１３は、実施例１を基本構成とし、第１ピストン１４と第２ピストン１５を後述のとおり構成したものである。
【００２５】
第１ピストン１４は、図３に示すとおり下部室Ｂに仕切り５とカバー８との間で上下動自在に内設された円筒体９の上端に仕切り５を縦貫して延びる小径の円筒体１６とさらに該円筒体１６の上端にフランジ６端面まで延びる円筒体１６より小径の円筒体１７を設けたものである。
【００２６】
また、第２ピストン１５は、図３に示すとおり上部室Ａに内設されかつ円筒体１６に上下動自在に嵌挿されるとともに円筒体１７と第２ピストン１５とで形成される円筒空間１８と第２ピストン１５の外部とを連通する通路１９を設けたものである。
【００２７】
上記の構成による液面計の動作は実施例１と同一であるので説明を省略する。
【００２８】
実施例２の特徴は、図４および図５に示すとおりエアーブリーザ機能と注液口機能をも兼ねていることである。
【００２９】
エアーブリーザ機能は、図４に示すとおり円筒体１７と第２ピストン１５とで形成される円筒空間１８と通路１９とで構成される経路２０を通って通気することができる。
【００３０】
注液口機能は、図５に示すとおり第２ピストン１５を環状体７から上方に抜き取り経路２１を通して液体タンク２内に注液することができる。
【実施例３】
【００３１】
本考案の実施例３を図６に示す。実施例３の液圧装置２２は、図６（ａ）に示すとおり原動機２３と液圧ポンプ（図示省略）と制御ブロック２４および液体タンク２５と本考案の液面計１３から構成されており、液面計１３はＧ部拡大図の図６（ｂ）に示すとおり液体タンク２５の天板２６に開口部２７を穿孔し、液面計１３を鉛直に挿入後、フランジ６をボルト２８で掛止したものである。
【００３２】
本考案が提供する液面計の特徴は以上のとおりであるが、上記ならびに図示例に限定されるものではなく、例えば図７に示すとおり第２ピストン１２の外周に軸方向の溝２９を削成し液体タンク内外の空気通路とすることも可能である。
【産業上の利用可能性】
【００３３】
少ない部品点数と簡単な構造で液体タンクの外部から液量を確認でき、エアーブリーザ兼注液口機能を備えたもので産業上利用可能である。
【符号の説明】
【００３４】
１  液面計
２  液体タンク
３  天板
４  開口部
５  仕切り
６  フランジ
７  環状体
８  カバー
９  円筒体
１０  円筒体
１１  第１ピストン
１２  第２ピストン
１３  液面計
１４  第１ピストン
１５  第２ピストン
１６  円筒体
１７  円筒体
１８  円筒空間
１９  通路
２０  経路
２１  経路
２２  液圧装置
２３  原動機
２４  制御ブロック
２５  液体タンク
２６  天板
２７  開口部
２８  ボルト
２９  溝
３０  液圧装置
３１  基盤
３２  原動機
３３  液圧ポンプ
３４  液体タンク
３５  日の丸形液面計
３６  注液口兼エアーブリーザ
Ａ  上部室
Ｂ  下部室
Ｃ  液面
Ｄ  液面
Ｅ  液面
Ｆ  液面
【図１】
0003162714.tif 000003
【図２】
0003162714.tif 000004
【図３】
0003162714.tif 000005
【図４】
0003162714.tif 000006
【図５】
0003162714.tif 000007
【図６】
0003162714.tif 000008
【図７】
0003162714.tif 000009
【図８】
0003162714.tif 000010
【手続補正書】
【提出日】平成22年7月12日(2010.7.12)
【手続補正１】
【補正対象書類名】実用新案登録請求の範囲
【補正対象項目名】請求項１
【補正方法】変更
【補正の内容】
【請求項１】
液体タンク内の液面を表示するための液面計であって、液体タンク天井の開口部に上端部のフランジが掛止されて液体タンク内に垂設された、仕切りにより上下に二分された液体が自由に出入可能な環状体と、前記環状体の仕切りより下部に上下動自在に内設されるとともに前記仕切りの上部に縦貫する小径の円筒部を設けた第１ピストンと、前記環状体の上部に上下動自在に内設されるとともに前記小径の円筒部に嵌挿された第２ピストンとからなり、浮力により第１ピストン及び第２ピストンがそれぞれ上下動することを特徴とする液面計。
【手続補正２】
【補正対象書類名】明細書
【補正対象項目名】０００８
【補正方法】変更
【補正の内容】
【０００８】
本考案は、上記課題を解決するために、液体タンク天井の開口部に上端部のフランジが掛止されて液体タンク内に垂設された、仕切りにより上下に二分された液体が自由に出入可能な環状体と、前記環状体の仕切りより下部に上下動自在に内設されるとともに前記仕切りの上部に縦貫する小径の円筒部を設けた第１ピストンと、前記環状体の上部に上下動自在に内設されるとともに前記小径の円筒部に嵌挿された第２ピストンとからなり、浮力により第１ピストン及び第２ピストンがそれぞれ上下動する構成としたものである。